(57)【要約】【課題】従来の携帯用テスタのテストリードよりも小型のテストリードを提供する。また、デジタル表示部のある側のテストリードを右手または左手のどちらに持ったときでもデジタル表示部の表示が正常状態となるテストリードを提供する。【解決手段】被測定物の電圧、電流、電気抵抗等の測定を行うテスタに使用する電極部１１Ａと縦長形状の把持部１２Ａを備えたテストリード１Ａであって、前記把持部１２Ａにデジタル表示部１３Ａと前記デジタル表示部の表示の向きを切り替える表示切替スイッチ３１、３２を備える。【選択図】図１
2013117403.tif 000002
【特許請求の範囲】
【請求項１】
被測定物の電圧、電流、電気抵抗等の測定を行うテスタに使用する、電極部と縦長形状の把持部を備えたテストリードであって、
前記把持部にデジタル表示部と、前記デジタル表示部の表示の向きを切り替える表示切替スイッチを備えることを特徴とするテストリード。
【請求項２】
前記デジタル表示部は、前記把持部に対して可動とされることを特徴とする請求項１に記載のテストリード。
【請求項３】
前記デジタル表示部は、一端がヒンジ部材にて前記把持部に対し、揺動自在に取り付けられていることを特徴とする請求項１又は２に記載のテストリード。
【請求項４】
前記デジタル表示部は、一端が自在継手、或いは、ヒンジ部材と回転可能な部材を組み合わせた部材にて前記把持部に対し、揺動自在に取り付けられていることを特徴とする請求項１又は２に記載のテストリード
【請求項５】
前記テストリードは、前記テスタに有線又は無線にて接続されることを特徴とする請求項１〜４のいずれかの項に記載のテストリード。
【請求項６】
前記表示切替スイッチは、前記テストリードを手で持った時に前記デジタル表示部に表示される測定値を正しく読める正常状態の表示に切り替えるスイッチであることを特徴とする請求項１〜５のいずれかの項に記載のテストリード。
【請求項７】
前記表示切替スイッチは、前記テストリードの前記把持部の前記デジタル表示部に対して上下の前記把持部の側面に設けられ、どちらか一方の前記表示切替スイッチを押すことによって、押された前記表示切替スイッチの側を上とした正常状態の測定値が前記デジタル表示部に表示されることを特徴とする請求項１〜６のいずれかの項に記載のテストリード。
【請求項８】
前記表示切替スイッチは、前記テストリードの前記把持部に設けられ、前記表示切替スイッチを押す度に前記デジタル表示部の測定値の表示の向きが変わることを特徴とする請求項１〜６のいずれかの項に記載のテストリード。
【請求項９】
前記デジタル表示部の測定値が表示される際に、正常状態の向きを示すアイコンをも表示することを特徴とする請求項１〜８のいずれかの項に記載のテストリード。
【発明の詳細な説明】
【技術分野】
【０００１】
本発明は、テストリードを使用して、電圧、電流、電気抵抗等の測定が可能なデジタルマルチメータのようなテスタに関し、特に、測定結果を表示するデジタル表示部を備えたテストリードに関するものである。
【背景技術】
【０００２】
図７（ａ）、（ｂ）に示すように、従来、一側のテストリード５Ａにデジタル表示部９を備えたテスタ本体６を組み込んだ測定装置、所謂、携帯用テスタ７が使用されている。
【０００３】
携帯用テスタ７は、上述のように、一側のテストリード５Ａを構成するテスタ本体６と、該テスタ本体６の後端部６ｂからリード線７０を介して、接続された他側テストリード５Ｂとを備えている。テスタ本体６の先端部６ａにはテストリード５Ａの探針（電極部）５１Ａが配置されている。
【０００４】
また、テストリード５Ａを構成するテスタ本体６は、図７（ｂ）に示すように、測定部６１、制御部６２、操作部８及びデジタル表示部９を備え、図７（ａ）に示すように、例えば直流若しくは交流電圧測定レンジ（Ｖ）及び抵抗測定レンジ（Ω）などの測定レンジのうちから切替操作によって選択された一つの測定レンジに対応する測定処理を実行可能に構成されている。
【０００５】
従って、テスタ本体６の操作部８には、電源ＯＦＦ（電源ＯＮ・ＯＦＦ切替）、及び電圧（Ｖ）、抵抗（Ω）測定レンジ切替を行うことができるスライド式の測定レンジ切替スイッチ８１が設けられている。更に、電圧測定レンジの場合に直流電圧測定（ＤＣＶ）と交流電圧測定（ＡＣＶ）とのいずれかに切り替えたりするシフトキー８２、測定値のホールド機能等のような予め設定してある特定機能を動作させるための特定機能入力キー８３等が設置されている。また、テスタ本体６の後端部６ｂ側には、例えばＬＣＤ（液晶ディスプレー）から成るデジタル表示部９が配置されている。
【０００６】
さらに、テスタ本体６における一側のテストリード５Ａの探針５１Ａの近傍位置には、該一側テストリード５Ａの探針５１Ａ方向を照射する例えば白色ＬＥＤなどから成るライト５３が配置されている。ライト５３の点灯操作は、特定機能入力キー８３の操作により行われる。
【０００７】
ユーザは、携帯用テスタ７を使用するに際して、テスタ本体６に設けられた、本例ではスライドスイッチとされる測定レンジ切替スイッチ８１をスライドさせて、測定レンジ、即ち、ファンクションを設定する。つまり、携帯用テスタ７は、図示するように、例えば、直流電圧（ＤＣＶ）と交流電圧（ＡＣＶ）、及び電気抵抗（Ω）が測定可能であって、スライドスイッチ８１を「ＯＦＦ」位置から、例えば電圧測定位置（Ｖ）へと摺動させて電源をＯＮとすると共にファンクションを設定する。
【先行技術文献】
【特許文献】
【０００８】
【特許文献１】特開２００４−２０３６１号公報
【発明の概要】
【発明が解決しようとする課題】
【０００９】
しかしながら、図７に示すような従来の携帯用テスタ７は片側のテストリード５Ａにテスタ本体６の機能を組み入れている。その為、テストリード５Ａの把持部５２Ａに電池や制御用の回路を収容する必要があり、小型化できないという問題がある。
【００１０】
また、テストリード５Ａのデジタル表示部９はテストリード５Ａを通常、右手に持ち作業を行ったときにデジタル表示部９の文字などの表示の上下が正しくなる方向（正常状態）となるように設計されている。左手にデジタル表示部９のあるテストリード５Ａを持ち、作業を行ったときは、デジタル表示部９が逆さまとなり、文字が読みにくい。
【００１１】
このため、表示の数値を読み間違えたり、左右の手のテストリードを握り替えてから表示を読むという不都合があった。
【００１２】
本発明の目的は、表示部を備え、より小型のかつ操作性の良い把持部を備えたテストリードを提供することである。
【００１３】
本発明の他の目的は、デジタル表示部のある側のテストリードを右手または左手のどちらに持ったときでもデジタル表示部の表示を正常状態とすることのできるより小型のテストリードを提供することである。
【課題を解決するための手段】
【００１４】
上記目的は本発明に係るテストリードにて達成される。要約すれば、本発明は、被測定物の電圧、電流、電気抵抗等の測定を行うテスタに使用する、電極部と縦長形状の把持部を備えたテストリードであって、前記把持部にデジタル表示部と、前記デジタル表示部の表示の向きを切り替える表示切替スイッチを備えることを特徴とするテストリードである。
【００１５】
本発明の一実施態様によると、前記デジタル表示部は、前記把持部に対して可動とされる。
【００１６】
本発明の他の実施態様によると、前記デジタル表示部は、一端がヒンジ部材にて前記把持部に対し、揺動自在に取り付けられている。
【００１７】
本発明の他の実施態様によると、前記デジタル表示部は、一端が自在継手、或いはヒンジ部材と回転可能な部材を組み合わせた部材にて前記把持部に対し、揺動自在に取り付けられている。
【００１８】
本発明の他の実施態様によると、前記テストリードは、前記テスタに有線又は無線にて接続される。
【００１９】
本発明の他の実施態様によると、前記表示切替スイッチは、前記テストリードを手で持った時に前記デジタル表示部に表示される測定値を正しく読める正常状態の表示に切り替えるスイッチである。
【００２０】
本発明の他の実施態様によると、前記表示切替スイッチは、前記テストリードの前記把持部の前記デジタル表示部に対して上下の前記把持部の側面に設けられ、どちらか一方の前記表示切替スイッチを押すことによって、押された前記表示切替スイッチの側を上とした正常状態の測定値等が前記デジタル表示部に表示される。
【００２１】
本発明の他の実施態様によると、前記表示切替スイッチは、前記テストリードの前記把持部に設けられ、前記表示切替スイッチを押す度に前記デジタル表示部の測定値等の正常状態の表示の向きが変わる。
【００２２】
本発明の他の実施態様によると、前記デジタル表示部の測定値等が表示される際に、正常状態の向きを示すアイコンをも表示する。
【発明の効果】
【００２３】
本発明によれば、表示部を備え、より小型のかつ操作性の良い把持部を備えたテストリードを提供することができる。また、左右どちらの手でデジタル表示部のあるテストリードを握っても、表示部の数値を読み間違えたり、左右の手のテストリードを持ち替える必要のないテストリードを提供することが可能になる。
【図面の簡単な説明】
【００２４】
【図１】図１（ａ）は本発明に係る実施例１のテストリードを備えたテスタの全体構成図であり、図１（ｂ）は電気回路図の一例を示すブロック図である。
【図２】実施例１のデジタル表示部のあるテストリードを右手で持ち作業する際の表示を説明するための図である。
【図３】実施例１のデジタル表示部のあるテストリードを左手で持ち作業する際の表示の上下の切り替えを説明するための図であり、図３（ａ）は、テストリードを左手で持ち、表示切り替えを行う前の状態を示し、図３（ｂ）は、テストリードを左手で持ち、表示切り替えを行った後の状態を示し、図３（ｃ）は、左手で作業したテストリードを右手に持ったときの状態を示す図である。
【図４】実施例２のテストリードを備えたテスタの全体構成図である。
【図５】実施例２のデジタル表示部のあるテストリードのフリップを起こした時の右手または左手で作業する際の表示の切り替えを説明するための図であり、図５（ａ）は、テストリードを右手で持ち、フリップを起こし、右手用の表示にしたときの状態を示し、図５（ｂ）は、テストリードを左手で持ち、フリップを起こし、左手用の表示にした時の状態を示す図である。
【図６】実施例２のテストリードのデジタル表示部のフリップの効果を説明するための図である。
【図７】図７（ａ）は従来の携帯用テスタの全体構成図であり、図７（ｂ）は、電気回路図の一例を示すブロック図である。
【発明を実施するための形態】
【００２５】
以下、本発明に係るテストリードを図面に則して更に詳しく説明する。
【００２６】
実施例１
図１は本発明に係るテストリードの一実施例及びテストリードを備えたテスタの一例を示す図である。図１（ａ）を参照すると、本実施例にてテスタ１０は、一対のテストリード１（１Ａ、１Ｂ）と、本体２によって構成されている。一対のテストリード１（１Ａ、１Ｂ）は、本発明に依ったデジタル表示部１３Ａを有するテストリード１Ａと、他側の通常のテストリード１Ｂとで構成されている。テストリード１Ａは電極部１１Ａと縦長形状の把持部１２Ａで構成されており、把持部１２Ａにはデジタル表示部１３Ａを備えている。テストリード１Ａは先端部１２Ａｂに電極部１１Ａが配置されており、後端部１２Ａａから本体２と接続するリード線１４Ａが延出している。
【００２７】
又、本実施例ではテストリード１Ａには、デジタル表示部１３Ａに対して上下の把持部側面にそれぞれ表示切替スイッチ３１（右手用）と表示切替スイッチ３２（左手用）を備えている。この構成は、本発明の特徴部を構成するものであり、後でさらに詳しく説明する。
【００２８】
他側テストリード１Ｂは、電極部１１Ｂと把持部１２Ｂで構成されており、把持部１２Ｂの後端１２Ｂａからは本体２と接続するリード線１４Ｂが延出している。
【００２９】
本体２には、図１（ａ）に示すように、電源スイッチ２１、及び、電圧、電流、電気抵抗等の測定レンジを切り替える測定レンジ切替スイッチ２２〜２６を備えた操作部６３を有し、更に、図１（ｂ）に示すように、測定部６１、制御部６２を備えている。操作部６３を構成する測定レンジ切替スイッチ２２〜２６を操作することにより、例えば直流電圧測定レンジ（ＤＣＶ）、交流電圧測定レンジ（ＡＣＶ）、抵抗測定レンジ（Ω）、電流測定レンジ（Ａ）、導通チェックレンジ（導通）などの５つの測定レンジのうちから選択された任意の一つの測定レンジに対応する測定処置を実行可能に構成されている。
【００３０】
測定時には、本体２の電源スイッチ２１により電源を入れ、測定レンジ切替スイッチ２２〜２６により、所望の測定レンジ、例えば直流電圧レンジ（ＤＣＶ）等に切り替え、一対のテストリード１の電極部１１Ａ、１１Ｂを被測定物に接触させ、テストリード１Ａのデジタル表示部１３Ａにて測定値を読み取る。
【００３１】
本実施例では、テストリード１Ａはリード線１４Ａにて本体２と接続されているため、デジタル表示のための電源をテストリード１Ａに備える必要がない。また、図７に示すような従来の携帯用テスタ７のテストリード５Ａに含まれていた測定部６１、制御部６２、操作部６３などの回路も本体２に備えられる。その為、テストリード１Ａの把持部１２Ａに設けるのはデジタル表示部１３Ａと表示切替スイッチ３１、３２のみだけでよく、従来の携帯用テスタ７のテストリード５Ａよりも小型化できる。
【００３２】
次に、本発明に係るテストリードの特徴部について説明する。
【００３３】
本実施例によれば、上述したように、テストリード１Ａには表示部切替スイッチ３１、３２が設けられている。表示切替スイッチ３１、３２はそれぞれ、右手でテストリード１Ａを持った時に、例えば右手の人差し指で押しやすい位置に表示切替スイッチ３１が、又は左手でテストリード１Ａを持った時に、例えば左手の人差し指で押しやすい位置に表示切替スイッチ３２が設けられている。そして、表示切替スイッチ３１、３２は、右手でテストリード１Ａを持ったときにデジタル表示部１３の表示の上側にしたい側に表示切替スイッチ３１が、左手でテストリード１Ａを持ったときにデジタル表示部１３の表示の上側にしたい側にスイッチ３２が設けられている。
【００３４】
さらに説明すると、デジタル表示部１３Ａのあるテストリード１Ａを手に持って操作するときの状態を図２及び図３（ａ）、（ｂ）、（ｃ）を参照して説明する。
【００３５】
先ず、図２に示すようにテスタ本体２の電源２１を入れ、測定切替スイッチ２２〜２６で所望の測定レンジ、例えば交流電圧測定レンジを設定し、右手でテストリード１Ａを持ち、左手で他側のテストリード１Ｂを持つ。被測定物に電極部１１Ａ、１１Ｂを当て、デジタル表示部１３Ａにて測定値等の表示を、例えば「１２８．６Ｖ」を読み取る。その際、表示は図２の様になっており、即ち、「正常状態」であり問題なく測定値を読み取ることができる。
【００３６】
次に、左手で上記構成のテストリード１Ａを持ち、デジタル表示部１３Ａが測定者に見えるようにした時の状態を説明する。
【００３７】
テスタ本体２の電源２１を入れ、測定レンジ切替スイッチ２２〜２６で所望の測定対象を設定し、一対のテストリード１の電極部１１Ａ、１１Ｂを被測定物に当てて測定値を読み取る。通常の場合、テストリード１Ａは図２に示すように設定されており、従って、そのまま左手に持って表示部１３Ａが測定者側となるようにした場合には、デジタル表示部１３Ａは図３（ａ）の様に逆さま（逆さま状態）の表示とされる。この時、本実施例のテストリード１Ａでは、表示切替スイッチ３２（左手用）を押下げることによって、図３（ｂ）の様にデジタル表示部１３Ａの表示を上下反転させて表示が「正常状態」となる。
【００３８】
一方、左手でデジタル表示部１３Ａのあるテストリード１Ａを持ち作業を行った後に右手でテストリード１Ａを持ち作業を行うと、図３（ｃ）の様に逆さま（逆さま状態）に表示されている。その際は、表示切替スイッチ３１（右手用）を押下げることによって、図２の様にデジタル表示部１３Ａの表示が上下反転して「正常状態」となる。この時、テストリード１Ａの表示切替スイッチ３１、３２による信号は本体２の制御部６２に伝えられ、制御部６２にて表示切替スイッチ３１、３２のどちらの信号であるか検知する。検知した信号に基づき、制御部６２にてデジタル表示部１３Ａの表示の向きを決定し、デジタル表示部１３Ａに決定した向きによって表示するよう信号を伝える。
【００３９】
即ち、デジタル表示部１３Ａのあるテストリード１Ａを左右どちらの手で持ち作業を行ったとしても、必要に応じて表示切替スイッチ３１、３２を押下げることによって表示の状態を切り替えることができ、読み難さを改善することができる。
【００４０】
表示切替スイッチは、本実施例によればテストリード１Ａのデジタル表示部１３Ａに対して上下の把持部１２Ａ側面にそれぞれ表示切替スイッチ３１、３２が備えられているとしたが、テストリード１Ａのデジタル表示部１３Ａの近傍の一つの表示切替スイッチであってもよい。この場合は、スイッチを押す度に、表示状態が切り替わる構成とする。また、デジタル表示部においては、そのときの表示が右手用左手用どちらの表示状態なのかわかるアイコン、例えば図示するように、矢印などをも測定値の他に表示されていても良い。
【００４１】
実施例２
次に本発明に係るテストリードの第二の実施例について、図４〜図６を用いて説明する。
【００４２】
本実施例は、テストリード１Ａのデジタル表示部４３Ａが、フリップ構造４１であるという点で実施例１とは異なる。本実施例のテストリード及びテスタの構成、機能及び動作は前述した実施例１と同一であるため、同一の構成、機能、動作を行う部材には同じ参照番号を付し、実施例１の説明を援用し、再度の説明は省略する。ここでは、前述した実施例１と異なる点についてのみ説明する。
【００４３】
本実施例によると、テストリード１Ａの把持部１２Ａには、デジタル表示部４３Ａと表示切替スイッチ３１、３２が設けられており、デジタル表示部４３Ａは、テストリード１Ａの把持部１２Ａに対し可動構造（即ち、フリップ構造）４１にて取り付けられる。
【００４４】
デジタル表示部４３Ａは、把持部１２Ａとは別体として形成される。例えばデジタル表示部４３Ａは、厚みが薄い矩形形状とされ、把持部１２Ａに形成した相補形状の凹部４４に嵌り込む形状とされる。表示部４３Ａの一端、本実施例では図４にて右端４３Ａａが、把持部凹部４４に設けたヒンジ部材４２等により、揺動自在に設けられている（図５（ａ）、（ｂ））。このデジタル表示部４３Ａを開くと、テストリード１Ａの後方からの測定値の視認が容易になる。例えば図６に示すように、所望の被測定物の測定部分が狭い場合など、両手に持った一対のテストリードが接近し、実施例１のデジタル表示部のようなテストリード把持部壁面に密着したものだと表示が見えづらい場合、本実施例のようなフリップ構造４１のデジタル表示部４３Ａを開くことによって問題が解決する。
【００４５】
また、実施例１と同様に右手用の表示（図５（ａ））、左手用の表示（図５（ｂ））への切り替えは表示切替スイッチ３１、３２をそれぞれ押下げることによって行える。このため、狭い空間での測定値の読み取りも左右の手を持ち替えることなく、また、測定値を見るために把持部側面を覗き込むことなく行うことができる。
【００４６】
以上、実施例２において、デジタル表示部４３Ａのフリップ４１と本体の継手は単純なヒンジ構造４２にて説明したが、この継手に、当業者には周知の構造である小型の自在継手等を用いる、或いはヒンジと他の回転可能な部材を組み合わせた部材を使用することによって、デジタル表示部４３Ａをテストリード１Ａの把持部１２Ａから起こし、かつ回転させて読みやすい傾斜角度にすることもできる。
【００４７】
上記本発明は、テストリード１と本体２を無線で接続する構成にすることもできる。但し、無線接続の場合は、テストリード１及び本体２に電源、測定信号発信、受信回路等を設置する必要があり、テストリードは有線接続に比較すると幾分大型となる。
【符号の説明】
【００４８】
１            テストリード
１３Ａ        デジタル表示部
２            テスタ本体
３１、３２    表示切り替えスイッチ
４１          フリップ構造
４２          ヒンジ構造
４３Ａ        デジタル表示部
【図１】
2013117403.tif 000003
【図２】
2013117403.tif 000004
【図３】
2013117403.tif 000005
【図４】
2013117403.tif 000006
【図５】
2013117403.tif 000007
【図６】
2013117403.tif 000008
【図７】
2013117403.tif 000009